(57)【要約】      （修正有）【課題】灰皿を備えた煙草を収納した煙草パッケージるものを提供する。【解決手段】煙草が収納された煙草パッケージの上面および下面に上部および下部開閉蓋が開閉可能に設けられ、上部開閉蓋を開封すると収納された煙草の取出口となり、パッケージの下部内には、灰皿が収納され、下部開閉蓋を開封すると灰皿が使用可能となっていることを特徴とする。【選択図】図３
0003116290.tif 000002
【実用新案登録請求の範囲】
【請求項１】
煙草が収納された煙草パッケージの上面および下面に上部および下部開閉蓋が開閉可能に設けられ、上部開閉蓋を開封すると収納された煙草の取出口となり、パッケージの下部内には、灰皿が収納され、下部開閉蓋を開封すると灰皿が使用可能となっていることを特徴とする灰皿を備える煙草パッケージ。
【請求項２】
内部に煙草が収納され、外側が保護シートで包装されて、該保護シートにはティアテープが設けられている煙草パッケージであって、
保護シートが耐熱性のシートで形成され、開封時にティアテープにより保護シートを切断することによって生ずる保護シートの上部袋体と下部袋体の、一方または双方が灰皿に形成されることを特徴とする灰皿を備える煙草パッケージ。
【請求項３】
内部に煙草が収納され、該収納された煙草がアルミリットで保護されてなる煙草パッケージにおいて、
開封してアルミリットを取り出し、該アルミリットを折り畳んで灰皿に形成することを特徴とする灰皿を備える煙草パッケージ。
【請求項４】
耐熱性の樹脂カードでカード型灰皿に形成され、これが煙草を収納した煙草パッケージ内に収納されていることを特徴とする灰皿を備える煙草パッケージ。
【請求項５】
金属箔を施した樹脂カードで金属箔カード型灰皿に形成され、これが煙草を収納した煙草パッケージ内に収納されていることを特徴とする灰皿を備える煙草パッケージ。
【請求項６】
耐熱性の樹脂シートで一端側が開口する袋状の灰皿に形成され、これが煙草を収納した煙草パッケージ内に収納されていることを特徴とする灰皿を備える煙草パッケージ。
【請求項７】
金属箔を施した樹脂シートで一端側が開口する袋状の灰皿に形成され、これが煙草を収納した煙草パッケージ内に収納されていることを特徴とする灰皿を備える煙草パッケージ。
【請求項８】
耐熱性の樹脂シートで一端側が開口する袋状の灰皿に形成され、これが巻かれて煙草を収納した煙草パッケージ内に煙草と同様に収納されていることを特徴とする灰皿を備える煙草パッケージ。
【請求項９】
金属箔を施した樹脂シートで一端側が開口する袋状の灰皿に形成され、これが巻かれて煙草を収納した煙草パッケージ内に煙草と同様に収納されていることを特徴とする灰皿を備える煙草パッケージ。
【請求項１０】
耐熱性の樹脂カードでカード型灰皿に形成され、これが煙草を収納した煙草パッケージの外面に取り付けられていることを特徴とする灰皿を備える煙草パッケージ。
【請求項１１】
金属箔を施した樹脂カードで金属箔カード型灰皿に形成され、これが煙草を収納した煙草パッケージの外面に取り付けられていることを特徴とする灰皿を備える煙草パッケージ。
【請求項１２】
耐熱性の樹脂シートで一端側が開口する袋状の灰皿に形成され、これが煙草を収納した煙草パッケージの外面に取り付けられていることを特徴とする灰皿を備える煙草パッケージ。
【請求項１３】
金属箔を施した樹脂シートで一端側が開口する袋状の灰皿に形成され、これが煙草を収納した煙草パッケージの外面に取り付けられていることを特徴とする灰皿を備える煙草パッケージ。
【考案の詳細な説明】
【技術分野】
【０００１】
この考案は、煙草を収納した煙草パッケージが灰皿を備える煙草パッケージに関する。
【背景技術】
【０００２】
喫煙時に発生する灰と吸殻は、通常、灰皿に捨てて処理される。ところが灰皿をおいていないところ（特に屋外、路上）で喫煙する場合は、マナーの悪い心ない喫煙者が吸殻の投げ捨て（ポイ捨て）をすることが多く見られ、環境汚染を引き起こしている。そのためその清掃が大変であるばかりか、消火していない煙草の投げ捨ては、火災の原因にもなる。
また、喫煙時に近くに禁煙者や煙草の嫌いな人が居れば、不快を与えると共に副流煙の被害にも遭わせてしまうことになる。そのために最近は、喫煙者に対する喫煙スペースは狭隘になっており、自治体等における規制の条例化も進んでいる。
そこで、従来、このような点を改善すべく携帯用の灰皿が提案された（例えば、特許文献１参照）。
【特許文献１】実公昭４６−１９６７０号公報
【考案の開示】
【考案が解決しようとする課題】
【０００３】
携帯用灰皿は、必ず携帯し喫煙時に必ず使用すれば、現状の改善に大いに役立つものである。しかし、携帯用灰皿は、煙草の収納された煙草パッケージとは別に携帯しなければならないので面倒であるし、携帯することを忘れることもあり、喫煙マナーの改善に十分機能しているとはいえないのが現状である。
この考案は、このような点を解決せんと提案されたものであり、その目的は、煙草を収納した煙草パッケージが、灰皿を備える煙草パッケージの提供にある。従って、煙草を収納した煙草パッケージが、灰皿を備えているので、携帯が面倒であったり、携帯を忘れることもなく、喫煙時には必ず灰皿を使用できることになる。
【課題を解決するための手段】
【０００４】
前記目的を達成するため、この考案の灰皿を備える煙草パッケージは、煙草が収納された煙草パッケージの上面および下面に上部および下部開閉蓋が開閉可能に設けられ、上部開閉蓋を開封すると収納された煙草の取出口となり、パッケージの下部内には、灰皿が収納され、下部開閉蓋を開封すると灰皿が使用可能となっていることを特徴とする。
これにより喫煙時には、煙草の他方の開閉蓋を開封して灰皿を使用することができる。この時の灰皿は、パッケージ内に位置固定しても、開封した際に取り出し可能となっていてもよい。
【０００５】
また、この考案の灰皿を備える煙草パッケージは、内部に煙草が収納され、外側が保護シートで包装されて、該保護シートにはティアテープが設けられている煙草パッケージであって、
保護シートが耐熱性のシートで形成され、開封時にティアテープにより保護シートを切断することによって生ずる保護シートの上部袋体と下部袋体の、一方または双方が灰皿に形成されることを特徴とする。
これによりティアテープによる切断で生ずる保護シートの上部袋体と下部袋体は、灰皿として使用できる。
【０００６】
また、この考案の灰皿を備える煙草パッケージは、内部に煙草が収納され、該収納された煙草がアルミリットで保護されてなる煙草パッケージにおいて、
開封してアルミリットを取り出し、該アルミリットを折り畳んで灰皿に形成することを特徴とする。
これによりアルミリットを灰皿として使用できる。
【０００７】
また、この考案の灰皿を備える煙草パッケージは、耐熱性の樹脂カードでカード型灰皿に形成され、これが煙草を収納した煙草パッケージ内に収納されていることを特徴とする。
これにより喫煙時にはカード型灰皿を取り出して使用することができる。
【０００８】
また、この考案の灰皿を備える煙草パッケージは、金属箔を施した樹脂カードで金属箔カード型灰皿に形成され、これが煙草を収納した煙草パッケージ内に収納されていることを特徴とする。
これにより喫煙時には、金属箔カード型灰皿を取り出して使用することができる。
【０００９】
また、この考案の灰皿を備える煙草パッケージは、耐熱性の樹脂シートで一端側が開口する袋状の灰皿に形成され、これが煙草を収納した煙草パッケージ内に収納されていることを特徴とする。
これにより喫煙時には、袋状の灰皿を取り出して使用することができる。
【００１０】
また、この考案の灰皿を備える煙草パッケージは、金属箔を施した樹脂シートで一端側が開口する袋状の灰皿に形成され、これが煙草を収納した煙草パッケージ内に収納されていることを特徴とする。
これにより喫煙時には、袋状の灰皿を取り出して使用することができる。
【００１１】
また、この考案の灰皿を備える煙草パッケージは、耐熱性の樹脂シートで一端側が開口する袋状の灰皿に形成され、これが巻かれて煙草を収納した煙草パッケージ内に煙草と同様に収納されていることを特徴とする。
また、この考案の灰皿を備える煙草パッケージは、金属箔を施した樹脂シートで一端側が開口する袋状の灰皿に形成され、これが巻かれて煙草を収納した煙草パッケージ内に煙草と同様に収納されていることを特徴とする。
これにより喫煙時には、灰皿を取り出して使用することができる。
【００１２】
また、この考案の灰皿を備える煙草パッケージは、耐熱性の樹脂カードでカード型灰皿に形成され、これが煙草を収納した煙草パッケージの外面に取り付けられていることを特徴とする。
また、この考案の灰皿を備える煙草パッケージは、金属箔を施した樹脂カードで金属箔カード型灰皿に形成され、これが煙草を収納した煙草パッケージの外面に取り付けられていることを特徴とする。
これにより喫煙時には、カード型灰皿を使用することができる。
【００１３】
また、この考案の灰皿を備える煙草パッケージは、耐熱性の樹脂シートで一端側が開口する袋状の灰皿に形成され、これが煙草を収納した煙草パッケージの外面に取り付けられていることを特徴とする。
さらに、この考案の灰皿を備える煙草パッケージは、金属箔を施した樹脂シートで一端側が開口する袋状の灰皿に形成され、これが煙草を収納した煙草パッケージの外面に取り付けられていることを特徴とする。
これにより喫煙時には、煙草パッケージの外面に取り付けられた袋状の灰皿を使用することができる。
【考案の効果】
【００１４】
この考案の灰皿を備える煙草パッケージによれば、次のような効果を奏する。
（１）煙草が収納された煙草パッケージは、灰皿を具備するので、携帯が面倒であったり、携帯を忘れることがなく、喫煙時には必ず使用可能である。従って、灰皿がない所での投げ捨て（ポイ捨て）が防止でき、煙草の投げ捨てによる環境汚染や火災の原因を防止することができる。
（２）この考案の灰皿を備える煙草パッケージは、既存の市販されている煙草に容易に適用可能である。従って、煙草を購入すると、必ず灰皿が付いている、とすることが容易に可能となる。
（３）この考案の煙草パッケージが備える灰皿は、簡単な構造で安価であるため、灰皿を備える煙草パッケージのコストアップを低く抑えることができる。
（４）この考案の灰皿を備える煙草パッケージは、灰皿を備えていても既存の市販されているサイズとあまり変わらないので、従来の自動販売機でもそのまま使用可能である。たとえ使用できない場合でも自動販売機の少しの直しで対応可能である。
（５）喫煙者が必ず持ち歩く煙草パッケージが灰皿を備えるので、別途携帯用灰皿を持ち歩くことが不要となる。
【考案を実施するための最良の形態】
【００１５】
以下、この考案の実施の形態を添付図面と共に詳細に説明する。図１乃至図４は、この考案の第１の実施の形態を示し、図１はその全体斜視図、図２は上部開閉蓋を開いた状態の斜視図、図３は下部開閉蓋を開いた状態の斜視図、図４は下部開閉蓋内に収納された灰皿を取り出して示す灰皿の斜視図である。
【００１６】
この灰皿を備える煙草パッケージ１ａ、パッケージ本体２の、上面に上部開閉蓋３が、下面に下部開閉蓋４が開閉可能に設けられ、上部開閉蓋３を開封（図２参照）すると収納された煙草Ｔの取出口５が開口され、パッケージ本体２の下部内には、灰皿６が設けられ、下部開閉蓋４を開封（図３参照）すると灰皿６が使用可能となっている。
【００１７】
パッケージ本体２は、直方体の箱体に形成され、煙草Ｔが収納できるサイズとなっている。このパッケージ本体２は保形性の材料（例えば厚紙）で直方体の箱体に形成すると、収納した煙草Ｔや灰皿６が押し潰されることなく保護されるので好ましい。
パッケージ本体２の上面に開閉可能に設けられた上部開閉蓋３、およびパッケージ本体２の下面に開閉可能に設けられた下部開閉蓋４は、パッケージ本体２の背面においてパッケージ本体２とヒンジ結合して開閉可能となっている。実際には、パッケージ本体２と上部および下部開閉蓋３、４は、直方体の箱体の正面、左右側面が切断され分離されているが、背面は切断されず同一構成材料で連結された格好で折り曲げ可能なヒンジ部となっているものである。
【００１８】
また、パッケージ本体２の下部内には図３に示すように灰皿６が収納され、下部開閉蓋４を開放すると灰皿６が使用可能となっている。灰皿６は、パッケージ本体２内に収納可能なサイズの皿状であって、本例ではパッケージ本体２内に着脱自在に収納されている。図４は灰皿６をパッケージ本体２から取り出した状態を示している。勿論この灰皿６はパッケージ本体２に固着されており、図３に示す状態で使用するようにしてもかまわない。この灰皿６の形状およびパッケージ本体２への収納構造に、特に制限はないが、喫煙時に使用した後、灰皿６内の灰や吸殻を捨てることができない場合は、そのまま下部開閉蓋４を閉じて煙草パッケージ１ａを携帯することになるので、この時に灰皿６内の灰や吸殻が漏れないような灰皿６の形状および灰皿６の収納構造が好ましい。例えば、下部開閉蓋４を閉じた時、灰皿６の開口が密閉されるような形状および収納構造を挙げることができる。
【００１９】
従って、この煙草パッケージ１ａによれば、図２に示すように上部開閉蓋３を開放すると、煙草Ｔの取出口５が開口され、収納された煙草Ｔを取り出して喫煙が可能となり、図３に示すように下部開閉蓋４を開放すると、灰皿６の収納部が現われ灰皿６が使用可能となる。この時、灰皿６は図３に示すようにパッケージ本体２に収納された状態で使用しても、図４に示すようにパッケージ本体２から取り出して使用してもよい。ここで図３は図１の状態から天地を逆にして表示しているので、下部開閉蓋４が上側となっている。実際の使用でもこのようにして使用するのが好ましい。なお、図２において符号７は、アルミリット（通称銀紙）を表示している。
【００２０】
図５は、この考案の第２の実施の形態を示す斜視図であり、前記第１の実施の形態と同一構成要素には同一符号を付して、詳細な説明は省略する。この灰皿を備える煙草パッケージ１ｂは、パッケージ本体２の内部に煙草Ｔが収納され、パッケージ本体２の外側が保護シート８で包装され、該保護シート８にはティアテープ（図示省略）が設けられており、保護シート８が耐熱性のシートで形成され、開封時にティアテープにより保護シート８を切断することによって生ずる保護シート８の上部袋体８ａと下部袋隊８ｂの、一方８ａか８ｂまたは双方８ａ、８ｂが灰皿に形成される。
【００２１】
このパッケージ本体２の上面には開閉蓋１３が開閉可能に設けられており、図５に示すように開放することによって煙草Ｔの取出口５が開口され、収納された煙草Ｔの取り出しが可能となる。
このパッケージ本体２は、開閉蓋１３が閉じた状態で、保護シート８で密着して包装されている。従来は通称セロハンと称されるシートで包装されているが、この考案の保護シート８は、後に灰皿として使用するため耐熱性のシートで形成される。この保護シート８は、不透明、半透明または透明でもよいが、パッケージ本体２の表面の印刷が透視できる点で透明が好ましい。このパッケージ本体２を包装した保護シート８には、開封時に切断して開封を容易にするためティアテープ（図示省略）が設けられているが、図５においてはティアテープによって保護シート８が切断され、保護シート８の上部袋体８ａと下部袋体８ｂとなってパッケージ本体２から分離された状態が示されているので、ティアテープは表示されていない。しかし、ティアテープは従来公知のものである。
【００２２】
パッケージ本体２を密着して包装した保護シート８は、開封時にティアテープにより切断されることによって上部袋体８ａと下部袋体８ｂに分離され、パッケージ本体２の開閉蓋１３の開閉が可能となるので、そこで開閉蓋１３を開放すると収納された煙草Ｔの取出口が開口され、煙草Ｔを取り出して喫煙することができる。この時、分離された上部袋体８ａと下部袋体８ｂは灰皿として使用できるので、灰皿のない所での喫煙でも煙草Ｔの投げ捨て（ポイ捨て）が防止され、環境を汚染することもない。
【００２３】
図６乃至図１０は、この考案の第３の実施の形態を示し、図６はその斜視図、図７乃至図９は灰皿のそれぞれ異なる折り畳み方法を工程順に示す説明図、図１０は使用状態を示す斜視図であり、前記実施の形態と同一構成要素には同一符号を付して詳細な説明は省略する。
【００２４】
この灰皿を備える煙草パッケージ１ｃは、パッケージ本体２の内部に煙草Ｔが収納され、該収納された煙草Ｔがアルミリット７で保護されており、喫煙時に開封した際、アルミリット７を取り出し、該アルミリット７を折り畳んで灰皿に形成する。図６は、ティアテープ（図示省略）によって保護シート８が切断され、保護シート８の上部袋体８ａと下部袋体８ｂとなってパッケージ本体２から分離され、パッケージ本体２の開閉蓋１３が開放され、アルミリット７が取り出された状態を斜視図で示している。
【００２５】
この取り出したアルミリット７は、折り畳んで灰皿１６に形成する。図７はアルミリット７を灰皿１６に折り畳む第１の折り畳み方法を、工程順（ａ）〜（ｅ）に示す説明図でる。まず、図７（ａ）に示すように用意したアルミリット７は、一端側の片７ａを折り線９に沿って同図（ｂ）に示すように折り畳み、次に同図（ｃ）〜（ｄ）に示すように折り畳んだ片７ａの上に、折り線１０より片７ｂを折り重ね、最後に同図（ｄ）〜（ｅ）に示すように下端側を折り線１１に沿って折り重ねると、上端側が開口１６ａする袋状の灰皿１６に形成される。
【００２６】
図８は、アルミリット７を灰皿１６に折り畳む第２の折り畳み方法を、工程順（ａ）〜（ｄ）に示す説明図である。この折り畳み方法は、アルミリット７に半円状の切り込み線１２が設けられている点が前記図７に示す方法と異なる。まず、図８（ａ）に示すようにアルミリット７には、片７ａに半円状の切り込み線１２が設けられている。このアルミリット７の片７ａを同図（ｂ）に示すように折り線９に沿って折り畳み、次に同図（ｃ）に示すように折り畳んだ片７ａの上に、折り線１０より片７ｂを折り重ね、片７ｂの端縁を切り込み線１２内に挿入する。これにより片７ｂは切り込み線１２で形成する係止片１４で係止される。最後に同図（ｄ）に示すように下辺部を折り重ねることによって、上端側が開口１６ａする袋状の灰皿１６に形成される。
【００２７】
図９は、アルミリット７を灰皿１６に折り畳む第３の折り畳み方法を、工程順（ａ）〜（ｅ）に示す説明図である。この折り畳み方法は、アルミリット７に底片１５が設けられている点が前記図７に示す方法と異なる。図９（ａ）に示すようにアルミリット７には、底片１５が設けられている。まず、このアルミリット７の片７ａを同図（ｂ）に示すように折り線９に沿って折り畳み、次に同図（ｃ）に示すように折り畳んだ片７ａの上に、折り線１０より片ｂを折り重ね、次に同図（ｄ）に示すように底片１５を折り重ねることによって、上端側が開口１６ａする袋状の灰皿１６に形成される。本例では同図（ｅ）に示すように折り重ねた各片７ａ、７ｂ、１５が開放しないようにシール片１７でシールされている。
【００２８】
しかして、この灰皿１６は、上端側が開口する袋状に形成されているので、図１０に示すように煙草Ｔの灰や吸殻は、灰皿１６の開口１６ａより投入して捨てることができる。
このように第３の実施の形態では、アルミリット７を灰皿１６に形成するので、袋状に形成する際にアルミ箔が内側に来るようにするのが耐熱性の点で好ましい。好ましくは、アルミリット７を耐熱性の素材で形成するのがより望ましい。
【００２９】
図１１および図１２は、この考案の第４の実施の形態を示し、図１１は灰皿が収納された状態を示す斜視図、図１２は灰皿を取り出した状態を示す斜視図であり、前記実施の形態と同一構成要素には同一符号を付して詳細な説明は省略する。
この灰皿を備える煙草パッケージ１ｄは、樹脂シートで一端側が開口２６ａする袋状の灰皿２６に形成され、この灰皿２６が煙草Ｔを収納したパッケージ本体２内に収納されている。樹脂シートで袋状の灰皿２６に形成するため、樹脂シートは耐熱性の素材が好ましく、ラミネートタイプであってもよい。また、金属箔（例えば、アルミ箔）を施した樹脂シートであってもよい。
【００３０】
このような樹脂シートで袋状に形成した灰皿２６は、のし袋のように薄型であるので、図１１に示すようにパッケージ本体２に収納された煙草Ｔと、パッケージ本体２の側壁との間に挿入して収納することができる。本例はパッケージ本体２の前面側に収納した場合を示しているが、これは後面側であってもよい。
従って、この煙草パッケージ１ｄは、図１１に示すように開閉蓋１３を開放すると、パッケージ本体２内に収納された煙草Ｔが取り出し可能となるので、煙草Ｔを取り出して喫煙することができる。そして、喫煙時には、図１２に示すようにパッケージ本体２に収納された灰皿２６を取り出し使用することができるので、灰皿のない所でも灰や吸殻を投げ捨てることもなく環境汚染を防止できる。この灰皿２６も袋状なので、図１０に示すと同様に開口２６ａを開いて灰や吸殻を袋内に捨てて使用する。
【００３１】
図１３は、この考案の第５の実施の形態を示す斜視図であり、前記実施の形態と同一構成要素には同一符号を付して詳細な説明は省略する。
この灰皿を備える煙草パッケージ１ｅは、樹脂カードでカード型灰皿３６に形成され、このカード型灰皿３６が、煙草Ｔを収納したパッケージ本体２内に収納されている。樹脂カードでカード型灰皿３６に形成するので、樹脂カードは耐熱性の素材が好ましく、ラミネートタイプであってもよい。また、金属箔を施した樹脂カードであってもよい。
【００３２】
このようなカード型灰皿３６は、薄いので図１３で矢印で示すようにパッケージ本体２に収納された煙草Ｔとパッケージ本体２の側壁との間に挿入して収納することができる。本例ではパッケージ本体２の後面側に収納した場合を示しているが、これは前面側であってもよい。
この煙草パッケージ１ｅによれば、喫煙時には、収納されたカード型灰皿３６を取り出して使用することができる。
【００３３】
図１４は、この考案の第６の実施の形態を示す要部斜視図である。本例はカード型灰皿３６が開閉蓋１３の内側１３ａに収納された場合であり、他は前記第５の実施の形態と同様である。
【００３４】
図１５は、この考案の第７の実施の形態を示す斜視図である。
この灰皿を備える煙草パッケージ１ｆは、袋状の灰皿２６またはカード型灰皿３６が略煙草サイズに巻かれて煙草Ｔを収納したパッケージ本体２内に煙草Ｔと同様に収納されている。この袋状の灰皿２６およびカード型灰皿３６は、前記第４の実施の形態および第５の実施の形態に示したものと同様のものである。従って、パッケージ本体２内には煙草Ｔと同様に収納可能となる。
【００３５】
巻かれた袋状の灰皿２６および巻かれたカード型灰皿３６は、巻きが戻らないように止めておいてもよい。図１６はその止め手段を例示したもので、同図（ａ）はテープ１８で止めた場合を示し、（ｂ）はキャップ１９で止めた場合を示している。
この煙草パッケージ１ｆによれば、喫煙時には巻かれて収納された袋状の灰皿２６またはカード型灰皿３６を、煙草Ｔと同様にパッケージ本体２から取り出して使用することができる。
【００３６】
図１７は、この考案の第８の実施の形態を示す斜視図である。
この灰皿を備える煙草パッケージ１ｇは、カード型灰皿３６が、煙草Ｔが収納されたパッケージ本体２の背面に取り付けられている。このカード型灰皿３６は、前記第５の実施の形態に示したものと同様のものである。
この煙草パッケージ１ｇによれば、喫煙にはカード型灰皿３６が、パッケージ本体２に取り付けられた状態で、あるいは図１７で矢印で示すように取り外した状態で灰皿として使用できる。
【００３７】
図１８は、この考案の第９の実施の形態を示す斜視図である。
この灰皿を備える煙草パッケージ１ｈは、袋状の灰皿２６が、煙草Ｔが収納されたパッケージ本体２の背面に取り付けられている。この袋状の灰皿２６は、前記第４の実施の形態に示したものと同様のものである。
この煙草パッケージ１ｈによれば、喫煙時には、袋状の灰皿２６がパッケージ本体２に取り付けられた状態で、あるいは図１８で矢印で示すように取り外した状態で灰皿として使用できる。
【００３８】
以上のとおり、この考案の煙草パッケージは灰皿を備えるので、喫煙時には必ず使用できることになり、灰皿のない所でも煙草の灰や吸殻の投げ捨て（、ポイ捨て）がなくなり環境汚染が防止できるものである。
なお、前記実施の形態は、この考案を制限するものではなく、この考案は要旨を逸脱しない範囲内で種々の変形が許容される。
【図面の簡単な説明】
【００３９】
【図１】この考案の第１の実施の形態を示す全体斜視図である。
【図２】この考案の第１の実施の形態を示す上部開閉蓋を開いた状態の斜視図である。
【図３】この考案の第１の実施の形態を示す下部開閉蓋を開いた状態の斜視図である
【図４】取り出した灰皿を示す斜視図である。
【図５】この考案の第２の実施の形態を示す斜視図である。
【図６】この考案の第３の実施の形態を示す斜視図である。
【図７】灰皿の折り畳み方法を工程順（ａ）（ｂ）（ｃ）（ｄ）（ｅ）に示す説明図である。
【図８】灰皿の別の折り畳み方法を工程順（ａ）（ｂ）（ｃ）（ｄ）に示す説明図である。
【図９】灰皿の更に別の折り畳み方法を工程順（ａ）（ｂ）（ｃ）（ｄ）（ｅ）に示す説明図である。
【図１０】灰皿の使用状態を示す斜視図である。
【図１１】この考案の第４の実施の形態を示す灰皿が収納された状態を示す斜視図である。
【図１２】この考案の第４の実施の形態を示す灰皿を取り出した状態を示す斜視図である。
【図１３】この考案の第５の実施の形態を示す斜視図である。
【図１４】この考案の第６の実施の形態を示す斜視図である。
【図１５】この考案の第７の実施の形態を示す斜視図である。
【図１６】巻かれた袋状の灰皿または巻かれたカード型灰皿の止め手段を例示（ａ）（ｂ）する斜視図である。
【図１７】この考案の第８の実施の形態を示す斜視図である。
【図１８】この考案の第９の実施の形態を示す斜視図である。
【符号の説明】
【００４０】
１ａ、１ｂ、１ｃ、１ｄ、１ｅ、１ｆ、１ｇ、１ｈ  灰皿を備える煙草パッケージ
２  パッケージ本体
３  上部開閉蓋
４  下部開閉蓋
５  取出口
６  灰皿
７  アルミリット
８  保護シート
８ａ  上部袋体（灰皿）
８ｂ  下部袋体（灰皿）
９、１０、１１  折り線
１２  切り込み線
１３  開閉蓋
１４  係止片
１６  灰皿
１６ａ  開口
２６  袋状の灰皿
３６  カード型灰皿
【図１】
0003116290.tif 000003
【図２】
0003116290.tif 000004
【図３】
0003116290.tif 000005
【図４】
0003116290.tif 000006
【図５】
0003116290.tif 000007
【図６】
0003116290.tif 000008
【図７】
0003116290.tif 000009
【図８】
0003116290.tif 000010
【図９】
0003116290.tif 000011
【図１０】
0003116290.tif 000012
【図１１】
0003116290.tif 000013
【図１２】
0003116290.tif 000014
【図１３】
0003116290.tif 000015
【図１４】
0003116290.tif 000016
【図１５】
0003116290.tif 000017
【図１６】
0003116290.tif 000018
【図１７】
0003116290.tif 000019
【図１８】
0003116290.tif 000020